(57)【要約】【課題】空気の逆流の起こりにくい閉止弁を提供することを課題とする。【解決手段】非通気性のシート１１を対向させることにより筒状の空気通路を形成し、シート１１が密着することによって、空気通路を閉じることができる閉止弁において、少なくとも１枚のシート１１が湾曲性シートにより構成されたものであることを特徴とする閉止弁を提供する。これにより、シート１１同士が密着しやすくなり、空気通路を効果的に閉じることができる。【選択図】　　　　　図２
2004136958.tif 000002
【特許請求の範囲】
【請求項１】
非通気性のシート（１１）を対向させることにより筒状の空気通路（１２）を形成し、
シート（１１）が密着することによって、空気通路（１２）を閉じることができる閉止弁（１）において、
少なくとも１枚のシート（１１）が湾曲性シートにより構成されたものであることを特徴とする閉止弁。
【請求項２】
シート（１１）の形状が略長方形であり、
長辺（１１ａ）が接着されたものであって、
シート（１１）の少なくとも一方が、短辺（１１ｂ）の方向に沿って湾曲が生じる湾曲性シートにより構成されたものであることを特徴とする、請求項１に記載の閉止弁。
【請求項３】
シート（１１）の形状が略長方形であり、
長辺（１１ａ）が接着されたものであって、
シート（１１）の少なくとも一方が、長辺（１１ａ）の方向に沿って湾曲が生じる湾曲性シートにより構成されたものであることを特徴とする、請求項１に記載の閉止弁。
【請求項４】
非通気性のシート（１１）を対向させることにより筒状の空気通路（１２）を形成し、
空気通路（１２）内には、空気通路（１２）を構成するシート（１１）とは別のシートにより弁体（１３）が形成され、
弁体（１３）が、上記のシート（１１）に対して密着することによって、空気通路（１２）を閉じることができる閉止弁（１）において、
弁体（１３）が湾曲性シートにより構成されたものであることを特徴とする閉止弁。
【発明の詳細な説明】
【０００１】
【発明の属する技術分野】
本願発明は、圧縮袋等に取り付けられ、空気通路を閉じることのできる閉止弁に関するものである。
【０００２】
【従来の技術】
従来より、衣服や布団等を収納し、内部の空気を排出することにより、容積を小さくして収納することができる圧縮袋が存在している。この圧縮袋には、排出する空気を通すための空気通路を有する閉止弁が取り付けられることが多い。
【０００３】
この閉止弁は、例えば、図７（Ａ）に示すように、外装シートとして２枚の平面視長方形の非通気性シート１１１，１１１を重ね合わせ、長辺１１１ａ同士を接着して、図７（Ｂ）に示すように、扁平な筒状の空気通路１１２を形成したものである。この閉止弁１０１は、圧縮袋に対して、空気通路１１２の一端が圧縮袋の内部に、他端が圧縮袋の外部にそれぞれ位置するように取り付けられる。
この圧縮袋の使用にあたって、圧縮袋内の空気を外部に追い出す際には、この閉止弁の空気通路１１２の内部にストロー等のノズルを通して脱気する。そして、脱気が終わったら、このノズルを空気通路１１２から抜き取ることで、外装シート１１１の一方と他方とが外気の気圧によって密着され、空気通路１１２が閉じられる。これにより、圧縮袋内の脱気状態を維持することができる。
【０００４】
【発明が解決しようとする課題】
従来の閉止弁１０１においては、外装シートとして用いられるシート１１１が図７（Ａ）に示すように平坦なものであるため、上記のようにストロー等を抜き取った際において、シート１１１同士が完全に密着しない場合があったり、脱気後においても外装シート同士の密着が外れたり、緩んだりして、外気が圧縮袋の内部に逆流してしまうことがあった。
上記の問題に鑑み、本願発明は、空気の逆流の起こりにくい閉止弁を提供することを課題とする。
【０００５】
【課題を解決するための手段】
上記課題を解決するために、本願第１の発明は、非通気性のシート１１を対向させることにより筒状の空気通路１２を形成し、シート１１が密着することによって、空気通路１２を閉じることができる閉止弁１において、少なくとも１枚のシート１１が湾曲性シートにより構成されたものであることを特徴とする閉止弁を提供する。
少なくとも１枚のシート１１を湾曲性シートとすることにより、シート１１同士が密着しやすくなり、空気通路１２を効果的に閉じることができる。
【０００６】
又、本願第２の発明は、第１の発明において、シート１１の形状が略長方形であり、長辺１１ａが接着されたものであって、シート１１の少なくとも一方が、短辺１１ｂの方向に沿って湾曲が生じる湾曲性シートにより構成されたものであることを特徴とする閉止弁を提供する。
【０００７】
又、本願第３の発明は、第１の発明において、シート１１の形状が略長方形であり、長辺１１ａが接着されたものであって、シート１１の少なくとも一方が、長辺１１ａの方向に沿って湾曲が生じる湾曲性シートにより構成されたものであることを特徴とする閉止弁を提供する。
長辺１１ａの方向に湾曲を生じさせることにより、空気通路１２が長手方向にカールし、これにより空気の逆流が起こりにくい閉止弁１とすることができる。
【０００８】
又、本願第４の発明は、非通気性のシート１１を対向させることにより筒状の空気通路１２を形成し、空気通路１２内には、空気通路１２を構成するシート１１とは別のシートにより弁体１３が形成され、弁体１３が、上記のシート１１に対して密着することによって、空気通路１２を閉じることができる閉止弁１において、弁体１３が湾曲性シートにより構成されたものであることを特徴とする閉止弁を提供する。
弁体１３が湾曲して空気通路１２を構成するシート１１に密着することにより、空気通路１２を確実に閉鎖することができる。
【０００９】
【発明の実施の形態】
以下、本願発明に係る閉止弁の実施の一例を取り上げて図と共に説明する。図１は本例の閉止弁が取り付けられた圧縮袋の一例を示す説明図であり、図２は本例の閉止弁の外装シートの組み合せを示す説明図である。
【００１０】
本例の閉止弁１は、従来のものと同様に、樹脂製の非通気性シートを外装シート１１として用いるものである。外装シート１１は、本例では平面視長方形であり、図２に示すように２枚を重ね合わせて、長辺１１ａ同士をヒートシール等により接着し、図１に示すように閉止辺１２ａを形成する。一方、短辺１１ｂについては接着がなされず、開口部１２ｂとなる。このようにして、長手方向（一方と他方の開口部１２ｂ，１２ｂを通る方向）に空気を通すことのできる、扁平な空気通路１２が形成される。
【００１１】
ここで、本願発明においては、図２に示すように、外装シート１１の少なくとも一方には、湾曲性シートが用いられている。この「湾曲性シート」とは、例えばナイロンとポリエチレン等の収縮率の異なる樹脂シートを多層に貼り合わせたものである。従来から外装シートに用いられてきた平坦なシートにおいては、収縮率の等しいシートを貼り合わせているため、平坦な状態を維持するのであるが、本願発明における湾曲性シートでは、上記のように収縮率が異なるものであるため、自然に湾曲する。
【００１２】
従来においては、外装シート同士の密着性を向上させるために、ポリエチレン等、比較的柔らかい材質の樹脂シートを使用することが多かった。しかし、この場合においては、閉止弁が取り付けられた袋の内圧や、空気の注入及び排出のために閉止弁に挿入されるストロー状のノズルによりしわが寄ってしまうことにより空気が漏れることがあり、好ましくなかった。
これに対し、本願発明の湾曲性シートは、湾曲することによって外装シート１１同士を密着させることができるため、従来と比べ硬目で張りのある樹脂シートを使いることができ、これにより、外装シート１１にしわの発生を防止することができ、有効に閉止することができる。
【００１３】
図２は、短手方向に湾曲する湾曲性シートを用いたものの組み合せを示す説明図であり、図２（Ａ）に示すものは外装シート１１の両方を湾曲性シートとしたもの、図２（Ｂ）に示すものは外装シートの一方を平坦なシート、もう一方を湾曲性シートとしたものである。
尚、上記の「短手方向に湾曲する」とは、図２に示すように、湾曲の峰部１１ｃの延長方向が長手方向（一方と他方の開口部１２ｂ，１２ｂを通る方向）と平行になるように湾曲した状態を指すものとする。
ここで、本例の閉止弁１について、表現を変えると、平面が湾曲することにより突出した部分である峰部１１ｃを有する湾曲性シートの、峰部１１ｃの方向と平行な辺１１ａを接続することにより閉止辺１２ａが形成され、峰部１１ｃの両端に位置する辺１１ｂは開放されて、開口部１２ｂが形成されたものである。（上記の「接続」には、一枚の外装シート１１を折り返した場合の折目も含むものとする。）
尚、湾曲性シートを外装シート１１に用いる場合は、峰部１１ｃが空気通路１２の側に突出するように配位される。
図２に示すように外装シート１１を重ねた後、長辺１１ａ同士を接続（本例においてはヒートシールによる接着）することにより、図１に示す閉止辺１２ａを形成して、外装シート１１同士をほぼ密着させ、扁平な空気通路１２を形成する。
ここで、本願発明に係る閉止弁１では、外装シート１１が湾曲しようとして、空気通路１２に常に閉じる方向の力が働く。これにより、従来の平坦な外装シートのみから形成した閉止弁のように、空気通路１２が自然に開いてしまい、空気が逆流する可能性を減少させることができる。
【００１４】
上記に説明した閉止弁１は、２枚の外装シート１１から構成されるものであったが、図３に示すように、空気通路１２の内部に外装シート１１とは別のシートである弁体１３を配位しても良い。
この場合において、弁体１３は、空気通路１２を構成する一方の外装シート１１に対して、接着部１３ａにおいて接着されている。しかし、他方の外装シート１１に対しては、当接部１３ｂにおいて、上記接着部１３ａのように接着がなされておらず、外装シート１１に対する密着及び開放が可能となっている。これにより、弁体１３は図３（Ｂ）に示す矢印方向である気流Ｆに対しては開き、これと逆方向の気流に対しては閉じるものである。この弁体１３の作用により、このように弁体１３を用いた閉止弁１は、上記のように２枚の外装シート１１から構成される、単なる筒状の閉止弁１と比較して、空気の逆流防止の点で優れるものである。
【００１５】
次に、この場合における、湾曲性シートの適用について、図４と共に述べる。具体的には、外装シート１１を２枚共湾曲性シートとする（図４（Ａ）（Ｂ））か、一方を平坦なシートとして、他方を湾曲性シートとする（図４（Ｃ）〜（Ｅ））。これらの場合、弁体１３のシートには平坦なシートを用いても良いし（図４（Ａ）（Ｃ））、湾曲性シートを用いても良い（図４（Ｂ）（Ｄ）（Ｅ））。
上記以外には、外装シート１１を従来のように２枚共平坦なシートとし、弁体１３のみを湾曲性シートとしても良い（図４（Ｆ））。
これらにより、図３に示した弁体１３の当接部１３ｂを外装シート１１に対して、より確実に密着させることができ、効果的に空気の逆流を防止することができる。
尚、当接部１３ｂにおける、空気が通る通路は、湾曲性シートの峰部が突出した側とするべきであり、これはつまり、図４上における空間Ｔである。
【００１６】
又、外装シート１１や弁体１３に用いる湾曲性シートの湾曲方向を、図２に示したものとは９０°違えて、長手方向（一方と他方の開口部１２ｂ，１２ｂを通る方向）に湾曲するように用いても良い。こうすることにより、閉止弁１のうち圧縮袋２の外部に露出する部分を、図５に示すように、脱気時以外には長手方向にカールさせた形態とすることができるため、空気が逆流する可能性をより減少することができる。
ここで、本例の閉止弁１について、表現を変えると、平面が湾曲することにより突出した部分である峰部１１ｃを有する湾曲性シートの、峰部１１ｃの両端に位置する辺１１ｂを接続することにより閉止辺１２ａが形成され、峰部１１ｃの方向と平行な辺１１ａは開放されて、開口部１２ｂが形成されたものである。（上記の「接続」には、一枚の外装シート１１を折り返した場合の折目も含むものとする。）
尚、このように閉止弁１をカールさせるためには、外装シート１１の一方を湾曲性シート、他方を平坦なシートとするか、外装シートの双方が同一の向きにカールするように配位して、一方向にカールさせるようにする。
尚、湾曲性シートの湾曲度合の調整により、図１に示すような、外観をカールしないままのものとすることもできる。
【００１７】
ここで、本願発明に係る閉止弁１を取り付けた圧縮袋２の一例について、使用方法を説明する。
本例の圧縮袋２は、図１に示すように、開口部２１にチャック等の気密保持部材２１ａを有するものであり、開口部２１以外の辺は、ヒートシール等により接着され、閉鎖されている。
本例においては、図１に示すように、閉止弁１が圧縮袋２の底部に取り付けられている。よって、圧縮袋２内の空気は、開口部２１と閉止弁１の空気通路１２においてのみ、外気と連通可能となっている。
まず、この圧縮袋２の内部に衣類等の収納物を収納する。その後、チャック２１ａを合わせて開口部２１を閉鎖する。この状態ではまだ、圧縮袋２の内部には空気が入ったままの状態である。次に、閉止弁１の空気通路１２にストローや棒を外部から挿入して、圧縮袋２を外部から押さえるか、あるいは空気通路１２に電気掃除機のノズルの先端を挿入し、電気掃除機を作動させることによって、圧縮袋２の内部の空気を外部に排出する。そして空気が排出された後は、ストロー等やノズルを空気通路から抜く。
閉止弁１は、上記のように湾曲性シートが用いられるものであるため、空気通路１２から外気が逆流して圧縮袋２の内部に入ってしまうことがなく、長期にわたって脱気状態を維持することができる。
【００１８】
本願発明に係る閉止弁１は、上記に説明したものに限られるものではなく、種々の形態で実施が可能である。
閉止弁１の圧縮袋２等の袋に対する取り付け位置は、図１に示すように袋の端辺部分に設けるものに限らず、図６（Ａ）（Ｂ）に示すように袋の表面部分に内蔵するようにして設けるものであっても良い。つまり、圧縮袋２を構成するシートに開口部２ａを設け、この開口部２ａと連通するようにして、開口部１２ｃを設けた閉止弁１を袋内部に取り付けるものである。この場合に取り付ける閉止弁１にあっては、図１や図２に示した閉止弁１とは異なり、長手方向の一方側の端部１２ｄを閉鎖した上で、一方の外装シート１１の表面に開口部１２ｃを形成し、開口部１２ｃと長手方向の他方側の開口部１２ｂとの間に空気通路１２を形成する。ここで、開口部１２ｃと開口部１２ｂとの間には、外装シート１１同士が密着することにより空気通路１２を閉止できる程度の距離を有するものとする。
このように閉止弁１を袋に内蔵するように取り付けることにより、閉止弁１が袋の外部に突出しないようにできるため、取り扱い易い袋を提供することができる。
尚、この形態の閉止弁１における、湾曲性シートの適用についても、上記に説明した閉止弁と同様である。
又、この場合においても、改めて図示はしないが、図３に示したような弁体を、図４に示したような種々の組み合せにより空気通路１２の内部に設けるものであっても良い。
【００１９】
外装シート１１の枚数については、本例では２枚のシートから構成するものとしたが、１枚のシートを折り曲げるものとしても良いし、又、片側に２枚以上のシートを重ねて使用するものとしても良い。
又、本例では、閉止弁１の平面視の形状が、空気通路１２の長手方向が長辺１１ａとなる長方形としたが、これに限定されず、横長の長方形や正方形、台形等、種々の形態で実施が可能である。
空気通路１２の内部に配位される弁体１３についても、図３に示したような、片側方向に開閉する１枚のシートからなり、一方向にのみ逆止可能な弁体１３に限られるものではなく、２つ以上の弁体を１つの空気通路に配位するものであっても良いし、中央付近で外装シート１１に接着され、両側に開閉が可能（双方向に逆止可能）な弁体を配位するものとしても良い。又、従来の平坦な樹脂シートを用いた閉止弁の空気通路に、湾曲性シートを用いた弁体１３を付け加えるように形成しても良い。
【００２０】
そして、この閉止弁１は、上記に説明した圧縮袋２とは逆に、袋内に空気を充填して使用する緩衝袋に対しても適用が可能である。この場合であっても、閉止弁１が有効に空気通路１２を閉止するため、空気を充填した状態を長期にわたって維持することができる。
【００２１】
【発明の効果】
本願第１及び第２の発明にあっては、少なくとも１枚のシートを湾曲性シートとすることにより、空気通路を効果的に閉じることができる。
又、本願第３の発明にあっては、上記の効果に加え、長辺方向に湾曲を生じさせることにより、空気通路がカールし、これにより空気の逆流が起こりにくい閉止弁とすることができる。
又、本願第４の発明にあっては、弁体が湾曲して外装シートに密着することにより、空気通路を確実に閉鎖することができる。
【図面の簡単な説明】
【図１】本願発明に係る閉止弁が取り付けられた圧縮袋の一例を示す、平面視の説明図である。
【図２】本例の閉止弁の外装シートの組み合せを示す説明図であり、（Ａ）は両方を湾曲性シートとしたもの、（Ｂ）は一方を平坦なシート、もう一方を湾曲性シートとしたものである。
【図３】弁体を内部に配位した閉止弁を示す図であり、（Ａ）は正面図、（Ｂ）は（Ａ）のＡ−Ａ断面図である。
【図４】弁体を内部に配位した閉止弁において、湾曲性シートの適用について示す、端面視の説明図である。
【図５】長辺方向に湾曲する閉止弁を示す図であり、（Ａ）は正面図、（Ｂ）は（Ａ）のＢ−Ｂ矢視図である。
【図６】本願発明に係る閉止弁が取り付けられた圧縮袋の他の一例を示す説明図であり、（Ａ）は正面図、（Ｂ）は（Ａ）のＣ−Ｃ要部断面図である。
【図７】従来の閉止弁を示す図であり、（Ａ）は外装シートの組み合せを示す説明図であり、（Ｂ）は平面図である。
【符号の説明】
１　　　閉止弁
１１　　外装シート
１１ａ　長辺
１１ｂ　短辺
１２　　空気通路
１３　　弁体
【図１】
2004136958.tif 000003
【図２】
2004136958.tif 000004
【図３】
2004136958.tif 000005
【図４】
2004136958.tif 000006
【図５】
2004136958.tif 000007
【図６】
2004136958.tif 000008
【図７】
2004136958.tif 000009